(57)【特許請求の範囲】
【請求項１】
前面が開口し、かつ内部に商品が収容される本体ケースに、ロック部材が固着され、
前記開口を覆う閉鎖位置と開放する開放位置との間を回動自在に支持された開閉扉は、前記ロック部材に係合するロック位置と係合を解除する解除位置との間を移動自在のロックスライダと、ロック位置と解除位置との間を回動自在のロックハンドルと、前記ロックハンドルの前記解除位置において、前記ロックスライダを前記解除位置に保持する保持状態および前記ロック金具により押下されて前記ロックスライダの保持を解除し、前記ロックスライダが前記ロック位置に移動するのを許容する保持解除状態を有するスライダ保持部材と、を備えた自動販売機において、
前記スライダ保持部材は、前記保持状態と前記保持解除状態との間で弾性変形する板バネにより形成されたことを特徴とする自動販売機。
【請求項２】
前面が開口し、かつ内部に商品が収容される本体ケースに、ロック部材が固着され、
前記開口を覆う閉鎖位置と開放する開放位置との間を回動自在に支持された開閉扉は、前記ロック部材に係合するロック位置と係合を解除する解除位置との間を移動自在のロックスライダと、ロック位置と解除位置との間を回動自在のロックハンドルと、前記ロックハンドルの前記解除位置において、前記ロックスライダを前記解除位置に保持する保持状態および前記ロック金具により押下されて前記ロックスライダの保持を解除し、前記ロックスライダが前記ロック位置に移動するのを許容する保持解除状態を有するスライダ保持部材と、を備えた自動販売機において、
前記スライダ保持部材は、前記保持状態と前記保持解除状態との間で移動可能に、前記開閉扉にヒンジ結合され、
前記スライダ保持部材と前記開閉扉とによってこれらスライダ保持部材と開閉扉との間に保持されて、前記スライダ保持部材の移動方向に伸縮し、かつ前記スライダ保持部材を前記保持状態に付勢するバネ部材を備えたことを特徴とする自動販売機。
【発明の詳細な説明】
【０００１】
【発明の属する技術分野】
本発明は、本体ケースと開閉扉とのロック機構を改良した自動販売機に関する。
【０００２】
【従来の技術】
近年、各種の商品を無人で販売する自動販売機が広く普及しているが、一般的な自動販売機１００は、例えば図１に示すように、前面が開口し、かつ内部に商品が収容される本体ケース４０と、この開口を覆う閉鎖位置と開放する開放位置との間を回動自在に支持された開閉扉３０とからなり、開閉扉３０を閉鎖位置に回動させる（閉鎖する）と、本体ケース４０の左端壁に固着された２つのロック部材４１が、開閉扉３０の左端部に形成された袋部３８の２つの開口３７に突入し、袋部３８の内部に設けられたロックスライダ１０（後述の図６参照）と係合して、開閉扉３０は閉鎖位置にロックされる構造となっている。
【０００３】
ここで、袋部３８内部に設けられたロックスライダ１０等の詳細を、図６および７を用いて説明する。図６は、開閉扉３０の外面側に設けられたロックハンドル３２と、ロックスライダ１０との連動動作を説明する図であり、（ａ）はロック状態、（ｂ）はロック解除状態を表している。なお、ロックスライダ１０に形成された矩形の開口１１は、開閉扉３０の袋部３８と一致する位置に形成されている。
【０００４】
開閉扉３０の外面側に設けられたロックハンドル３２は、開閉扉３０を外面側から内面側に貫通する回転軸３３に軸支され、回転軸３３の、開閉扉３０内面側の端部は、円盤部３４と細長柱状部３５とからなるリンクの円盤部３４の中心に固着されている。そして、細長柱状部３５の先端部は、断面略コの字状に形成されたロックスライダ１０の側面に形成された矩形孔１３に挿通されている。
【０００５】
開閉扉３０の内面側には、断面略コの字状に形成されたガイド片３６が固着されており、このガイド片３６の内面に沿って上下方向に移動可能とされたロックスライダ１０が配設され、前述したロックハンドル３２がロック位置（図６（ａ））にあるときは、ロックスライダ１０は、リンクの細長柱状部３５によって下方に移動されたロック位置にあり、ロックハンドル３２が解除位置（図６（ｂ））にあるときは、ロックスライダ１０は、リンクの細長柱状部３５によって上方に移動された解除位置にある。
【０００６】
ここで、ロックスライダ１０の内部には、その自由端側に、ロックスライダ１０の開口１１から突出して開口１１の上端縁部１２に掛かる掛り部２８を有するスライダ保持部材２７が、ピン２５によって軸支されて配設されている。このスライダ保持部材２７を軸支するピン２５は、ロックスライダ１０を幅方向に貫通し、開閉扉３０に固着されたガイド片３６に支持されており、ロックスライダ１０は、このピン２５によって、その上下動が妨げられないように、ピン２５の貫通孔が上下方向に長孔１４として形成されている。
【０００７】
スライダ保持部材２７は、弦巻バネ２６によって、掛り部２８がロックスライダ１０の内面に押し付けられる方向に付勢されており、ロックスライダ１０が解除位置（図６（ｂ））にあるときは、上述したように掛り部２８が開口１１から突出して、開口１１の上端縁部１２に掛かり、ロックスライダ１０がその自重によって下方に落下し、ロック位置（図６（ａ））に移動するのを阻止している。したがって、ロックハンドル３２も解除位置に保持される。
【０００８】
次に、このロックスライダ１０と、本体ケース４０のロック部材４１とのロック・解除動作について、図７を参照して説明する。まず、図７（ａ）は、開閉扉３０が開放位置にある状態を示す断面図であり、ロックスライダ１０は、図６（ｂ）に示す解除位置に保持されており、スライダ保持部材２７は保持状態となっている。
【０００９】
この保持状態から、開閉扉３０を本体ケース４０側に回動させると、ロック部材４１が、図示しない開閉扉３０の開口３７（図１参照）に突入し、さらに、ロックスライダ１０の開口１１に突入する（図７（ｂ））。このとき、ロック部材４１の先端部（開閉扉３０側の端部）が、スライダ保持部材２７の掛り部２８に当接し、弦巻バネ２６の付勢力に抗して、スライダ保持部材２７を開閉扉３０の外面側に押し戻す。
【００１０】
さらに、開閉扉３０を本体ケース４０に近づけると、ロック部材４１がスライダ保持部材２７の掛り部２８をさらに押し戻し、掛り部２８はロックスライダ１０の開口１１の上端縁部１２から外れ、ロックスライダ１０はその自重によって下方に落下する（図７（ｃ））。この結果、ロックスライダ１０の開口１１の上端縁部１２が、ロック部材４１の凹部４２に係合して、開閉扉３０は、本体ケース４０に閉鎖状態（閉鎖位置）でロックされる。なお、このとき、ロックハンドル３２は、ロック位置（図６（ａ））に戻される。
【００１１】
このように閉鎖位置にロックされた開閉扉３０を開放するときは、ロックハンドル３２を解除位置（図６（ｂ））まで回すことにより、ロックスライダ１０は上方に持ち上げられて、ロック部材４１の凹部４２から離脱し、図７（ａ）の状態に戻り、開閉扉３０を開放することができる。
【００１２】
【発明が解決しようとする課題】
ところで、自動販売機においては、本体ケースに可能な限り多くの商品を収容することが望まれており、また、開閉扉３０には、商品のディスプレイ部や、商品補充時あるいは商品購入のために投入された料金の回収時に操作する操作ユニット部などが広い範囲を占拠するため、袋部３８の幅を十分に確保することができない場合がある。この結果、ロックスライダ１０を含む上述したロック機構の幅を小さくする必要がある。
【００１３】
しかし、ロック機構は、防犯上、所定の強度を確保する必要があり、ロックスライダ１０の幅ｄ（図６（ｂ））を狭くするのは適切ではない。そこで、ロックスライダ１０の両側の張り出したピン２５を除去した構成により、袋部３８の幅を狭くすることが適切であると考えられる。
【００１４】
また、ロックスライダ１０の内側で、スライダ保持部材２７および弦巻バネ２６にピン２５を通すとともに、弦巻バネ２６をスライダ保持部材２７に組み付ける作業は煩雑で、困難を伴う。
【００１５】
本発明は上記事情に鑑みてなされたものであり、上述したピンや弦巻バネを具備することなく、ロックスライダを従来と同様に機能させることを可能にしたロック機構を有する自動販売機を得ることを目的とする。
【００１６】
【課題を解決するための手段】
上記目的を達成するために、本発明の自動販売機（請求項１）は、前面が開口し、かつ内部に商品が収容される本体ケースに、ロック部材が固着され、前記開口を覆う閉鎖位置と開放する開放位置との間を回動自在に支持された開閉扉は、前記ロック部材に係合するロック位置と係合を解除する解除位置との間を移動自在のロックスライダと、ロック位置と解除位置との間を回動自在のロックハンドルと、前記ロックハンドルの前記解除位置において、前記ロックスライダを前記解除位置に保持する保持状態および前記ロック金具により押下されて前記ロックスライダの保持を解除し、前記ロックスライダが前記ロック位置に移動するのを許容する保持解除状態を有するスライダ保持部材と、を備えた自動販売機において、前記スライダ保持部材は、前記保持状態と前記保持解除状態との間で弾性変形する板バネにより形成されたことを特徴とする。
【００１７】
このように、本発明の請求項１にかかる自動販売機は、スライダ保持部材を、保持状態と保持解除状態との間で弾性変形する板バネにより形成したことにより、スライダ保持部材を軸支しロックスライダの側面から突出するピンおよび弦巻バネが不要となり、ロックスライダの幅を狭くすることなく、従来と同様のロック機構の機能を確保しつつ、組立て作業性を向上させることができる。さらに、部品点数を減らすことができるため、組立て作業の容易化およびコスト低減を図ることができる。
【００１８】
なお、板バネの幅をロックスライダの内面幅と略一致させることにより、板バネがロックスライダをガイドする作用をなし、この場合、ロックスライダの外側に従来備えられていたロックスライダガイド用のガイド片も不要となり、これによってさらなる組立て作業の容易化およびコスト低減を図ることができる。
【００１９】
また、本発明の自動販売機（請求項２）は、前面が開口し、かつ内部に商品が収容される本体ケースに、ロック部材が固着され、前記開口を覆う閉鎖位置と開放する開放位置との間を回動自在に支持された開閉扉は、前記ロック部材に係合するロック位置と係合を解除する解除位置との間を移動自在のロックスライダと、ロック位置と解除位置との間を回動自在のロックハンドルと、前記ロックハンドルの前記解除位置において、前記ロックスライダを前記解除位置に保持する保持状態および前記ロック金具により押下されて前記ロックスライダの保持を解除し、前記ロックスライダが前記ロック位置に移動するのを許容する保持解除状態を有するスライダ保持部材と、を備えた自動販売機において、前記スライダ保持部材は、前記保持状態と前記保持解除状態との間で移動可能に前記開閉扉にヒンジ結合され、さらに、前記スライダ保持部材と前記開閉扉とによってこれらスライダ保持部材と開閉扉との間に保持されて前記スライダ保持部材の移動方向に伸縮し、かつ前記スライダ保持部材を前記保持状態に付勢するバネ部材を備えたことを特徴とする。
【００２０】
このように、本発明の請求項２にかかる自動販売機は、スライダ保持部材を開閉扉に直接または間接的にヒンジ結合によって軸支し、かつバネ部材をこのスライダ保持部材と開閉扉との間にこれらによって挟むことにより保持しているため、従来の自動販売機における、ロックスライダを幅方向に貫通してスライダ保持部材を軸支しまたはバネ部材を保持するためのピンを備える必要がなく、この結果、組立て作業性を向上させることができ、しかも、スライダ保持部材は、保持状態と保持解除状態との間を移動可能とされ、かつバネ部材によって保持状態に付勢されるため、ロックスライダの幅を狭くすることなく、従来と同様のロック機構の機能を確保することができる。
【００２１】
なお、スライダ保持部材の幅をロックスライダの内面幅と略一致させることにより、スライダ保持部材がロックスライダをガイドする作用をなし、この場合、ロックスライダの外側に従来備えられていたロックスライダガイド用のガイド片も不要となり、これによってさらなる組立て作業の容易化およびコスト低減を図ることができる。
【００２２】
【発明の実施の形態】
以下、本発明の自動販売機の実施の形態について、図面を用いて説明する。図１は、この実施の形態である自動販売機の全体構造を示す図である。この自動販売機１００は、前面が開口し、かつ内部に商品が収容される本体ケース４０と、この開口を覆う閉鎖位置と開放する開放位置との間を回動自在に支持された開閉扉３０とからなり、開閉扉３０を閉鎖位置に回動させる（閉鎖する）と、本体ケース４０の左端壁に固着された２つのロック部材４１が、開閉扉３０の左端部に形成された袋部３８の２つの開口３７に突入し、袋部３８の内部に設けられたロックスライダ１０（後述の図２参照）と係合して、開閉扉３０は閉鎖位置にロックされる構造となっている。
【００２３】
ここで、袋部３８内部に設けられたロックスライダ１０等の詳細を、図２および３を用いて説明する。図２は、開閉扉３０の外面側に設けられたロックハンドル３２と、ロックスライダ１０との連動動作を説明する図であり、（ａ）はロック状態、（ｂ）はロック解除状態を表している。なお、ロックスライダ１０に形成された矩形の開口１１は、開閉扉３０の袋部３８と一致する位置に形成されている。
【００２４】
開閉扉３０の外面側に設けられたロックハンドル３２は、開閉扉３０を外面側から内面側に貫通する回転軸３３に軸支され、回転軸３３の、開閉扉３０内面側の端部は、円盤部３４と細長柱状部３５とからなるリンクの円盤部３４の中心に固着されている。そして、細長柱状部３５の先端部は、断面略コの字状に形成されたロックスライダ１０の側面に形成された矩形孔１３に挿通されている。
【００２５】
開閉扉３０の内面側には、上下方向に移動可能とされたロックスライダ１０が配設され、前述したロックハンドル３２がロック位置（図２（ａ））にあるときは、ロックスライダ１０は、リンクの細長柱状部３５によって下方に移動されたロック位置にあり、ロックハンドル３２が解除位置（図２（ｂ））にあるときは、ロックスライダ１０は、リンクの細長柱状部３５によって上方に移動された解除位置にある。
【００２６】
ここで、ロックスライダ１０の内部には、ロックスライダ１０の開口１１から突出して開口１１の上端縁部１２に掛かる掛り部２１を有する弾性部材である板バネ２０が配設されており、この板バネ２０の一端は、開閉扉３０の内面側に固着された底上げ部材３１に取り付けられている。なお、掛り部２１は、突出先端側が、根元側よりも高い位置になるように形成しておくのが好ましい。掛り部２１から上端縁部１２が外れにくくなり、予期しない保持解除を防止することができるからである。
【００２７】
板バネ２０は、それ自体の弾性力によって、掛り部２１がロックスライダ１０の内面に押し付けられる方向に付勢されており、ロックスライダ１０が解除位置（図２（ｂ））にあるときは、上述したように掛り部２１が開口１１から突出して、開口１１の上端縁部１２に掛かり、ロックスライダ１０がその自重によって下方に落下し、ロック位置（図２（ａ））に移動するのを阻止している。したがって、ロックハンドル３２も解除位置に保持される。また板バネ２０の幅および底上げ部材３１の幅は、ロックスライダ１０の内面幅に略等しく、ロックスライダ１０が左右に振れるのを阻止するガイドとしての機能も果たしている。
【００２８】
次に、このロックスライダ１０と、本体ケース４０のロック部材４１とのロック・解除動作について、図３を参照して説明する。まず、図３（ａ）は、開閉扉３０が開放位置にある状態を示す断面図であり、ロックスライダ１０は、図２（ｂ）に示す解除位置に保持されており、板バネ２０は保持状態となっている。
【００２９】
この保持状態から、開閉扉３０を本体ケース４０側に回動させると、ロック部材４１が、図示しない開閉扉３０の開口３７（図１参照）に突入し、さらに、ロックスライダ１０の開口１１に突入する（図３（ｂ））。このとき、ロック部材４１の先端部（開閉扉３０側の端部）が、板バネ２０の自由端部２２に当接し、この板バネ２０の付勢力に抗して、板バネ２０を開閉扉３０の外面側に弾性変形させる。
【００３０】
さらに、開閉扉３０を本体ケース４０に近づけると、板バネ２０の弾性変形量が大きくなり、掛り部２１はロックスライダ１０の開口１１の上端縁部１２から外れ、ロックスライダ１０はその自重によって下方に落下する（図３（ｃ））。この結果、ロックスライダ１０の開口１１の上端縁部１２が、ロック部材４１の凹部４２に係合して、開閉扉３０は、本体ケース４０に閉鎖状態（閉鎖位置）でロックされる。なお、このとき、ロックハンドル３２は、ロック位置（図２（ａ））に戻される。
【００３１】
このように閉鎖位置にロックされた開閉扉３０を開放するときは、ロックハンドル３２を解除位置（図２（ｂ））まで回すことにより、ロックスライダ１０は上方に持ち上げられて、その開口１１の上端縁部１２がロック部材４１の凹部４２から離脱し、図３（ａ）の状態に戻り、開閉扉３０を開放することができ、ロックスライダは解除位置に保持される。
【００３２】
上述したように、本実施の形態の自動販売機１００によれば、ロックスライダ１０を解除位置に保持するスライダ保持部材を、保持状態と保持解除状態との間で弾性変形する板バネ２０により形成したことにより、従来のスライダ保持部材を軸支する、ロックスライダ１０の側面から突出するピンや、スライダ保持部材を付勢する弦巻バネが不要となり、ロックスライダ１０の幅を狭くすることなく、従来と同様のロック機構の機能を確保しつつ、組立て作業性を向上させることができる。また、部品点数を減らすことができるため、組立て作業の容易化およびコスト低減を図ることができる。
【００３３】
また、板バネ２０の幅および底上げ部材３１の幅が、ロックスライダ１０の内面幅と略一致しているため、板バネ２０および底上げ部材３１がロックスライダ１０をガイドする作用をなし、ロックスライダ１０を両外側からガイドする従来のガイド片が不要となり、これによってさらなる組立て作業の容易化およびコスト低減を図ることができる。
【００３４】
なお、板バネ２０は底上げ部材３１によって、開閉扉３０の内面から離間して取り付けられているため、板バネ２０の弾性変形を吸収するストロークが小さくなり、弾性力の劣化（ヘタリ）によるロックスライダ１０に対する保持力の減退を抑制することができる。
【００３５】
図４は、他の実施の形態である自動販売機のロックスライダ１０の内部に設けられたスライダ保持部材５０の詳細を示す図、図５は、図４に示したスライダ保持部材５０、ロックスライダ１０およびロック部材４１との係合作用を説明する要部断面図である。
【００３６】
ここで、スライダ保持部材５０は、開閉扉３０の内面に結合された、底上げ部材３９に結合されたスライダ保持板支持部材５１と、このスライダ保持板支持部材５１の上端円筒部５１ａに、その上端円柱部５２ａがヒンジ結合されたスライダ保持板５２と、スライダ保持板支持部材５１とスライダ保持板５２との間に保持されたコイルバネ５３とから構成されている。
【００３７】
スライダ保持板５２は、上端円柱部５２ａがスライダ保持板支持部材５１の上端円筒部５１ａによって軸支されているため、上端円柱部５２ａを中心として矢印方向（図４参照）に揺動可能であり、コイルバネ５３は、このスライダ保持板５２の揺動方向に伸縮するように配設されており、スライダ保持板５２が開閉扉３０から遠ざかる方向に、このスライダ保持板５２を付勢している。
【００３８】
また、スライダ保持板５２の上下方向略中央部には、コイルバネ５３の伸び方向に突出した舌片５２ｂが形成されており、この舌片５２ａが、既述した実施の形態における板バネ２０の掛り部２１と同様に、ロックスライダ１０の開口１１の上端縁部１２に掛かって、ロックスライダ１０を解除位置に保持する。そしてスライダ保持板５２の下端側の自由端部５２ｃは、既述した実施の形態における板バネ２０の自由端部２２と同様に、ロック部材４１に押圧される部分として形成されている。
【００３９】
なお、ロックスライダ１０と、ロックハンドル３２およびこのロックハンドル３２のリンクとの位置関係は、前述した実施の形態と同様である。
【００４０】
次に、このロックスライダ１０と、本体ケース４０のロック部材４１とのロック・解除動作について、ロックスライダ１０を含む部分の断面図である図５を参照して説明する。まず、図５（ａ）は、開閉扉３０が開放位置にある状態におけるロックスライダ１０の保持状態を示すが、スライダ保持板５０がコイルバネ５３によって開閉扉３０から遠ざかる方向に付勢され、このスライダ保持板５０の舌片５２ｂが、ロックスライダ１０の開口１１の上端縁１２に掛かって、ロックスライダ１０が下方に落下するのを防止して、ロックスライダ１０を解除位置に保持している。
【００４１】
この保持状態から、開閉扉３０を本体ケース４０側に回動させると、ロック部材４１が、図示しない開閉扉３０の開口３７（図１参照）に突入し、さらに、ロックスライダ１０の開口１１に突入する（図５（ｂ））。このとき、ロック部材４１の先端部が、スライダ保持板５２の自由端部５２ｃを押圧し、スライダ保持板５２を付勢しているコイルバネ５３の付勢力に抗して、スライダ保持板５２を開閉扉３０側に近づく方向に移動させる。
【００４２】
さらに、開閉扉３０を本体ケース４０に近づけると、スライダ保持板５２は開閉扉３０側にさらに移動され、舌片５２ｂはロックスライダ１０の開口１１の上端縁部１２から外れ、ロックスライダ１０はその自重によって下方に落下する（図５（ｃ））。この結果、ロックスライダ１０の開口１１の上端縁部１２が、ロック部材４１の凹部４２に係合して、開閉扉３０は、本体ケース４０に閉鎖状態（閉鎖位置）でロックされる。なお、このとき、ロックハンドル３２は、ロック位置に戻される。
【００４３】
このように閉鎖位置にロックされた開閉扉３０を開放するときは、ロックハンドル３２を解除位置まで回すことにより、ロックスライダ１０は上方に持ち上げられて、その開口１１の上端縁部１２がロック部材４１の凹部４２から離脱し、図５（ａ）の状態に戻り、開閉扉３０を開放することができ、ロックスライダ１０は解除位置に保持される。
【００４４】
上述したように、本実施の形態の自動販売機１００によれば、従来の自動販売機の如く、ロックスライダ１０の側面から突出してスライダ保持部材を軸支するピンを備える必要がなく、したがってロックスライダ１０の幅を狭くすることなく、従来と同様のロック機構の機能を確保しつつ、組立て作業性を向上させることができる。
【００４５】
また、スライダ保持板５２の幅および底上げ部材３９の幅を、ロックスライダ１０の内面幅と略同一になるように形成することによって、スライダ保持板５２および底上げ部材３９がロックスライダ１０をガイドする作用をなし、ロックスライダ１０を両外側からガイドする従来のガイド片が不要となり、これによってさらなる組立て作業の容易化およびコスト低減を図ることができる。
【００４６】
【発明の効果】
以上述べたように、本発明の請求項１にかかる自動販売機によれば、スライダ保持部材を、保持状態と保持解除状態との間で弾性変形する板バネにより形成したことにより、スライダ保持部材を軸支しロックスライダの側面から突出するピンが不要となり、ロックスライダの幅を狭くすることなく、従来と同様のロック機構の機能を確保しつつ、組立て作業性を向上させることができる。さらに、部品点数を減らすことができるため、組立て作業の容易化およびコスト低減を図ることができる。
【００４７】
なお、板バネの幅をロックスライダの内面幅と略一致させることにより、板バネがロックスライダをガイドする作用をなし、この場合、ロックスライダの外側に従来備えられていたロックスライダガイド用のガイド片も不要となり、これによってさらなる組立て作業の容易化およびコスト低減を図ることができる。
【００４８】
また、本発明の請求項２にかかる自動販売機によれば、スライダ保持部材を開閉扉に直接または間接的にヒンジ結合によって軸支し、かつバネ部材をこのスライダ保持部材と開閉扉との間にこれらによって挟むことにより保持しているため、従来の自動販売機における、ロックスライダを幅方向に貫通してスライダ保持部材を軸支しまたはバネ部材を保持するためのピンを備える必要がなく、この結果、組立て作業性を向上させることができ、しかも、スライダ保持部材は、保持状態と保持解除状態との間を移動可能とされ、かつバネ部材によって保持状態に付勢されるため、ロックスライダの幅を狭くすることなく、従来と同様のロック機構の機能を確保することができる。
【００４９】
なお、スライダ保持部材の幅をロックスライダの内面幅と略一致させることにより、スライダ保持部材がロックスライダをガイドする作用をなし、この場合、ロックスライダの外側に従来備えられていたロックスライダガイド用のガイド片も不要となり、これによってさらなる組立て作業の容易化およびコスト低減を図ることができる。
【図面の簡単な説明】
【図１】本発明の実施の形態である自動販売機の概略を示す斜視図である。
【図２】図１に示した自動販売機のロックスライダの詳細を示す図である。
【図３】図２に示したロックスライダとロック金具との係合作用を説明する要部断面図である。
【図４】他の実施の形態にかかる自動販売機のロックスライダの詳細を示す図である。
【図５】図４に示したロックスライダとロック金具との係合作用を説明する要部断面図である。
【図６】従来の自動販売機のロックスライダの詳細を示す図である。
【図７】従来のロックスライダとロック金具との係合作用を説明する要部断面図である。
【符号の説明】
１０  ロックスライダ
１１  開口
１２  上端縁部
２０  板バネ
２１  掛り部
２２  自由端部
３０  開閉扉
３１  底上げ部材
４０  本体ケース
４１  ロック部材
４２  凹部
【図１】
0004168601.tif 000002
【図２】
0004168601.tif 000003
【図３】
0004168601.tif 000004
【図４】
0004168601.tif 000005
【図５】
0004168601.tif 000006
【図６】
0004168601.tif 000007
【図７】
0004168601.tif 000008